(57)【特許請求の範囲】
【請求項１】
オーブンレンジ等の調理装置の上方に設置される壁掛け電子レンジであって、
外観をなす本体と、
前記調理装置から発生する排気ガスが前記本体内に流入されるように、前記本体の底板に設けられた吸入口と、
前記本体の内側上部に設けられたメイン排気ファンと、
前記吸入口と前記メイン排気ファンに連通するメイン排気通路と、
前記排気ガスを案内するように、前記本体の下部に後退可能に前方に延出されるスライドダクトと、を含み、
前記スライドダクトは、下面板と、前記下面板の両側から上方に延長される両側面板と、前記下面板の先端部から上向に延長される前面板とを含むことにより、前記本体の底板と前記スライドダクトの下面板との間のメイン排気通路側に排気ガスを案内する補助排気通路を形成することを特徴とする壁掛け型電子レンジ。
【請求項２】
前記スライドダクトは前記側面板と前記前面板の上端に連結された上面板をさらに含むことを特徴とする請求項１記載の壁掛け型電子レンジ。
【請求項３】
前記上面板及び前記下面板には、スライドダクトが前記本体内に後退した場合、前記本体の底板の吸入口に連通する連通孔を含むことを特徴とする請求項２記載の壁掛け型電子レンジ。
【請求項４】
前記スライドダクトは、内側前方部に設けられ、前記スライドダクトが前方に移動した場合、前記スライドダクトの下部領域からの前記排気ガスを吸入する補助排気ファンをさらに含むことを特徴とする請求項２記載の壁掛け型電子レンジ。
【請求項５】
前記スライドダクトは、前記補助排気ファンを収容し、前記補助排気ファンにより吸入される前記排気ガスを前記本体のメイン排気通路側に案内するために前記本体側に延長されるガイド板をさらに含むことを特徴とする請求項４記載の壁掛け型電子レンジ。
【請求項６】
前記スライドダクトの側面板は前記側面板に沿って縦方向に延長される対応レールを含み、前記本体はスライドダクトのレールを前後スライド移動可能に収容する対応スライド溝を有することを特徴とする請求項１記載の壁掛け型電子レンジ。
【請求項７】
前記レールは前記レールの後端部に設けられ上方に延長される係止部を含み、前記本体は下端に設けられ下方に延長して前記レールの係止部を係止するストッパーを有する前面板をさらに含むことを特徴とする請求項６記載の壁掛け型電子レンジ。
【請求項８】
前記壁掛け型電子レンジは、内部に飲食物を収容するための調理室と、電磁波を発生して前記飲食物を調理するマグネトロンをさらに含むことを特徴とする請求項１記載の壁掛け型電子レンジ。
【請求項９】
前記スライドダクトは、前記排気ガスを前記吸入口に案内するため、前方に延出されることを特徴とする請求項１記載の壁掛け型電子レンジ。
【請求項１０】
前記スライドダクトは前記スライドダクトの下部領域からの前記排気ガスを前記吸入口に案内する補助排気ファンを含み、前記メイン排気ファンと前記補助排気ファンは前記スライドダクトが前方に延出されると、同時に動作することを特徴とする請求項１記載の壁掛け型電子レンジ。
【請求項１１】
前記スライドダクトは前記本体の垂直面の下部に設けられることを特徴とする請求項１記載の壁掛け型電子レンジ。
【請求項１２】
前記スライドダクトは前記本体を過ぎて前記本体の前方に延出されることを特徴とする請求項１記載の壁掛け型電子レンジ。
【請求項１３】
オーブンレンジ等の調理装置の上方に設置される壁掛け電子レンジであって、
外観をなす本体と、
飲食物を収容するための調理室と、
前記飲食物を調理する加熱部と、
前記本体内に設けられたメイン排気通路と、
前記本体の下部の前記調理装置から発生される排気ガスが前記メイン排気通路内に流入するようにする吸気口と、
前記メイン排気通路と連通し前記排気ガスを所望位置に排出させるメイン排気ファンと、
前記本体から後退可能に延出され、下部の前記排気ガスを前記吸入口側に案内するスライドダクトと、を含み、
前記スライドダクトは前記スライドダクトの下部の前記排気ガスを前記吸入口側に案内する補助排気ファンを含むことを特徴とする壁掛け型調理装置。
【請求項１４】
前記スライドダクトは前記補助排気ファンと連通し前記排気ガスを前記吸入口側に案内する補助排気通路をさらに含むことを特徴とする請求項１３記載の壁掛け型調理装置。
【請求項１５】
前記メイン排気ファンと前記補助排気ファンは、前記スライドダクトが前方に延出されると、同時に動作することを特徴とする請求項１４記載の壁掛け型調理装置。
【請求項１６】
前記スライドダクトは、下面板と、前記下面板の両側から上方に延長される両側板と、前記下面板の先端部から上方に延長される前面板と、前記両側板と前記前面板の上端に連結された上面板とを含むことを特徴とする請求項１３記載の壁掛け型調理装置。
【請求項１７】
前記上面板と前記下面板は、前記スライドダクトが前記本体内に後退すると、前記吸入口と連通する連通孔を含むことを特徴とする請求項１６記載の壁掛け型調理装置。
【請求項１８】
前記スライドダクトの前記両側面は対応レールを含み、前記本体は前記スライドダクトのレールをスライド可能に収容する対応スライド溝を有する側面板を含むことを特徴とする請求項１６記載の壁掛け型調理装置。
【請求項１９】
前記スライドダクトは前記本体を過ぎて前方に延出されることを特徴とする請求項１３記載の壁掛け型調理装置。
【発明の詳細な説明】
【０００１】
【発明の属する技術分野】
本発明は壁掛け型電子レンジに関し、より詳しくは前後移動可能に設けられるスライドダクトを備えて、壁掛け型電子レンジの下部に配置されたオーブンレンジで発生する排気ガスと飲食物の匂いを一層効果的に吸入するようにした壁掛け型電子レンジ関するものである。
【０００２】
【従来の技術】
図１は従来の壁掛け型電子レンジ１がオーブンレンジ２の上部に設置されたものを示す図である。同図に示すように、従来技術による壁掛け型電子レンジ１は、オーブンレンジ２の上部に配置され、通常の電子レンジが有する高周波による調理機能とともに、その下部に配置されるオーブンレンジ２から発生する排気ガス、煙、飲食物の匂いなどを外部へ排出させる機能を兼ねるようにしたものである。
【０００３】
オーブンレンジ２はその上面に設けられた複数のトップバーナー３のガス燃焼による熱を用いて飲食物を調理し、壁掛け型電子レンジ１はその内部に収容された飲食物に高周波を照射して、飲食物に含有された水分の分子配列を反復的に変換させることにより発生する分子間の摩擦熱により飲食物を調理することになる。
【０００４】
図２はオーブンレンジから発生する排気ガス、飲食物の匂いなどを吸入して外部へ排出するための排気通路が形成された従来の壁掛け型電子レンジの内部構造を概略的に示すものである。同図に示すように、従来の壁掛け型電子レンジ１は、本体１０の内部に互いに区画された調理室１１と電装室１２を有する。
【０００５】
調理室１１と電装室１２の下部、両側部及び上部には、本体１０の下部に配置されたオーブンレンジ２（図１参照）から発生するガス又は煙を排出させるように案内する排気通路１３が設けられ、本体１０の後方上側には、排気通路１３に沿って流動する排気ガス又は煙を吸入して外部へ排出させる排気ファン１４が設けられている。前記排気通路１３は調理室１１と電装室１２から区画される流路を形成するように構成される。
【０００６】
電装室１２には電装部品を冷却させるための冷却ファン１５が設けられ、電装室１２の前方上側には、この冷却ファン１５が駆動されるとき、外部の空気が電装室３の内部に流入されるように、前面吸入口１６が設けられている。また、調理室１１と電装室１２を区画する区画壁１７には、電装室１２内に流入された空気が調理室１１に流入して調理室１１を換気させるように、多数の通孔１８が形成され、区画壁１７の反対側の調理室１１の上面には、調理室１１の内部空気が排気されるように、多数の通孔１９が形成されている。そして、調理室１１側の本体１０の前面上部には、調理室１１の上部通孔１９を通じて排出される空気が本体１０の前方に排気されるように、前面吐出口２０が形成されている。
【０００７】
しかし、このように構成された従来の壁掛け型電子レンジ１は、その下部に配置されるオーブンレンジ２から発生する排気ガス、煙、飲食物の匂いなどを効果的に吸入することができない欠点がある。すなわち、図１に示すように、オーブンレンジ２の上部に設けられた複数のトップバーナー３は前列トップバーナー３ａ及び後列トップバーナー３ｂの２列に配置される構造となっている反面、オーブンレンジ２の上部に配置された従来の壁掛け型電子レンジ１はただ後列トップバーナー３ｂのみをカバーする大きさを有するため、前列トップバーナー３ａから発生する排気ガス、煙、飲食物の匂いなどを図２の排気ファン１４の作動で排気通路１３に効果的に吸入することができないものである。したがって、前列トップバーナー３ａから発生する排気ガス、飲食物の匂いなどは外部へ排出されず室内空気を汚染して不快感を誘発することになる。
【０００８】
前記問題点を解決するため、排気ファン１４の吸入力を増大させると、排気ファン１４が大きくなるため、電子レンジの内部構造を変更しなければならないばかりでなく、作動騒音が増大するほかの問題点が発生する。
【０００９】
【発明が解決しようとする課題】
したがって、本発明は前述した従来技術の問題点を解決するためのもので、本発明の目的は、下部に配置されたオーブンレンジから発生する排気ガス、飲食物の匂いなどを効果的に吸入して排出することができる壁掛け型電子レンジを提供することである。
【００１０】
【課題を解決するための手段】
前記目的を達成するため、本発明は、外観をなす本体と、排気ガスが前記本体内に流入されるように、前記本体の底板に設けられた吸入口と、前記本体の内側上部に設けられたメイン排気ファンと、前記吸入口と前記メイン排気ファンに連通するメイン排気通路と、前記本体の下部に位置する領域から発生する排気ガスを案内するように、前記本体の下部に後退可能に前方に延長されるスライドダクトとを含む壁掛け型電子レンジを提供する。
【００１１】
前記スライドダクトは、下面板と、前記下面板の両側から上方に延長される両側面板と、前記下面板の先端部から上向に延長される前面板とを含むことにより、前記本体の底板と前記スライドダクトの下面板との間のメイン排気通路側に排気ガスを案内する補助排気通路を形成することができる。
【００１２】
前記スライドダクトは前記側面板と前記前面板の上端に連結された上面板をさらに含むことができ、前記上面板及び前記下面板には、スライドダクトが前記本体内に後退した場合、前記本体の底板の吸入口に連通する連通孔を含むことができる。
【００１３】
前記スライドダクトは、内側前方部に設けられ、前記スライドダクトが前方に移動した場合、前記スライドダクトの下部領域から発生する排気ガスを吸入する補助排気ファンをさらに含むことができ、前記スライドダクトは、前記補助排気ファンを収容し、前記補助排気ファンにより吸入される排気ガスを前記本体のメイン排気通路側に案内するために前記本体側に延長されるガイド板をさらに含むことができる。
【００１４】
前記スライドダクトの側面板は前記側面板に沿って縦方向に延長される対応レールを含み、前記本体はスライドダクトのレールを前後スライド移動可能に収容する対応スライド溝を有することができる。
【００１５】
【発明の実施の形態】
以下、添付図面に基づいて本発明の好ましい実施形態について詳細に説明する。
図３は本発明によるスライドダクトが電子レンジの本体から前方にスライド移動した状態を示す斜視図であり、図４はスライドダクトの排気通路を示すための、図３の線ＩＶ−ＩＶについての断面図である。
【００１６】
図３に示すように、本発明による壁掛け型電子レンジ５０は、前後面板５２、５３、両側面板５４、５５、上面板５６、及び底板５７を有する箱状の本体５１により外観が形成される。前記本体５１の内部には、高周波を用いて飲食物を調理するため、互いに区画された調理室５８と電装室５９が設けられている。
【００１７】
底板５７の両側には、オーブンレンジ２（図６参照）から発生する排気ガス、飲食物の匂いなどが本体５１を流入させるための吸入口６１が設けられており、本体５１の後方上側には排気ガスを吸入して外部へ排出させるためのメイン排気ファン６２が配置されている。また、前記吸入口６１と排気ファン６２との間には、吸入口６１に流入された排気ガスが排気ファン６２に流動されるように案内する排気通路６３が設けられる。前記排気通路６３は調理室５８及び電装室５９と本体５１の両側面板５４、５５、底板５７及び後面板５３との間に形成される空間からなる。
【００１８】
本発明の特徴をなすスライドダクト７０は、本体５１の底板５７の下部に配置されるように、本体５１の底板５７とほぼ同一の大きさに形成された下面板７１及び上面板７２と、前記下面板７１及び上面板７２の両側面を連結する両側面板７３、７４と、前記下面板７１及び上面板７２の前面の連結する前面板７５とからなる。
【００１９】
前記スライドダクト７０の下面板７１及び上面板７２の両側には、本体５１の底板５７に形成された吸入口６１に連通する連通孔７７が形成されているので、スライドダクト７０の本体５１の内部に後退した状態で排気ガスが前記連通孔７７を通じて吸入口６１に流入されるようにする。
【００２０】
また、スライドダクト７０が前方にスライド移動した状態で、その下部の周囲から排気ガスなどを吸入してメイン排気ファン６２に送るため、スライドダクト７０の内部の前方には補助排気ファンユニット７９が設けられている。前記補助排気ファンユニット７９が排気ガスなどを吸入して排出することを可能にするため、補助排気ファンユニット７９の下部と側面は開放されている。
【００２１】
前記補助排気ファンユニット７９は、その下部周囲の排気ガスなどを本体５１の吸入口６１側に送り、メイン排気ファン６２により吸入されるように、メイン排気ファン６２より小さい容量を有する。
【００２２】
ここで、本実施形態においては、スライドダクト７０が上下面板７１、７２、両側面板７３、７４、及び前面板７５を備えて外観をなすものとして記載したが、上面板７２なしに構成しても、補助排気ファンユニットの作動により排気ガスを本体に誘導することができる。
【００２３】
また、図３に示すように、スライドダクト７０の内部には、前記補助排気ファンユニット７９により吸入された排気ガスなどが本体５１の底板５７に案内されるように、前記補助排気ファンユニット７９の両側から本体側に延長された１対のガイド板７８が設けられている。前記１対のガイド板７８により、スライドダクト７０の内部には排気ガスなどを後方に誘導するための補助排気通路７６が設けられるので、補助排気ファンユニット７９により吸入された排気ガスは連通孔７７に行かずに本体５１の吸入口６１に案内できる。
【００２４】
スライドダクト７０の両側面板７３、７４の外側には前後方向にレール８０が設けられ、これらに対応する本体５１の両側面板５４、５５の内側には、前記レール８０をスライド移動可能に収容するスライド溝８１が設けられている。また、前記レール８０の後端には上向に延長された係止部８２が設けられ、本体５１の前面板５２の下端には、前記係止部８２が係止されることにより、スライドダクト７０が本体５１から分離しないように下向に延長されたストッパー８３が設けられている。
【００２５】
以下、このように構成された本発明による壁掛け型電子レンジの作用を図３ないし図６を参照して説明する。
図６は図３に対応するもので、オーブンレンジ２の上部に配置された前列トップバーナー３ａと後列トップバーナー３ｂが全て作動するか、又は前列トップバーナー３ａのみが作動する場合、これらから発生する排気ガスを効果的に吸入するため、スライドダクト７０が本体５１から前方にスライド移動した状態を示す図である。
【００２６】
図３、図４及び図６に示すように、スライドダクト７０が本体５１から前方にスライド移動すると、スライドダクト７０のレール８０の後端に設けられた係止部８２が本体５１の前面板５２の先端に設けられたストッパー８３に係止され、スライドダクト７０はオーブンレンジ２の上部の前列トップバーナー３ａの上部をカバーすることになる。こうして、スライドダクト７０が前方に移動した状態でメイン排気ファン６２と補助排気ファンユニット７９が同時に作動することになる。
【００２７】
メイン排気ファン６２の作動により、後列トップバーナー３ｂから発生する排気ガス、飲食物の匂いなどは本体５１の底板５７に形成された吸入口６１を通じて流入され排気通路６３を経て外部へ排出されるとともに、補助排気ファンユニット７９の作動により、前列トップバーナー３ａから発生する排気ガス、飲食物の匂いなどはスライドダクト７０の排気通路７６を通じて本体５１の排気通路６３に送られ後列トップバーナー３ｂから発生する排気ガスと合流する。その後、混合された排気ガスはメイン排気ファン６２により外部へ排出される。
【００２８】
一方、オーブンレンジ２の後列トップバーナー３ｂのみが作動してスライドダクト７０を使う必要がない場合は、図５に示すように、スライドダクト７０が本体５１の内部に押し込まれる。この状態で、メイン排気ファン６２が作動すると、後列トップバーナー３ｂから発生する排気ガス、飲食物の匂いなどがスライドダクト７０の連通孔７７と底板５７の吸入口６１を通じて流入され排気通路６３を経て外部へ排出される。
【００２９】
【発明の効果】
以上説明したように、本発明による壁掛け型電子レンジは、その下部に、前方にスライド可能に設けられるスライドダクトを備えて、壁掛け型電子レンジより広い面積を占めるオーブンレンジから発生する排気ガスを広い領域にわたって効果的に吸入することができるので、室内空間をより快適に維持することができる効果があるものである。
【図面の簡単な説明】
【図１】  従来技術による壁掛け型電子レンジがオーブンレンジ上に配置されたものを示す斜視図である。
【図２】  オーブンレンジから排出された燃焼ガスを吸入するための排気通路を有する従来技術による壁掛け型電子レンジの斜視図である。
【図３】  本体の下部に進退可能に設けられるスライドダクトが本体の前方に移動した状態を示す本発明による壁掛け型電子レンジの斜視図である。
【図４】  図３の線ＩＶ−ＩＶについての断面図である。
【図５】  図３のスライドダクトが本体の内部に移動した状態を示す本発明による壁掛け型電子レンジの斜視図である。
【図６】  本発明によるスライドダクトが前方に移動した状態でオーブンレンジ上に配置されたものを示す斜視図である。
【符号の説明】
５０  壁掛け型電子レンジ
６１  吸入口
６２  メイン排気ファン
６３、７６  排気通路
７０  スライドダクト
７８  ガイド板
７９  補助排気ファンユニット
８０  レール
８１  スライド溝
８３  ストッパー
【図１】
0004160356.tif 000002
【図２】
0004160356.tif 000003
【図３】
0004160356.tif 000004
【図４】
0004160356.tif 000005
【図５】
0004160356.tif 000006
【図６】
0004160356.tif 000007